(57)【特許請求の範囲】
【請求項１】
内側に家庭用薄葉紙を収納するとともに、収納された前記家庭用薄葉紙を外側に取り出す取出部を具備する容器本体と、前記容器本体に前記取出部を開閉するように取り付けられた蓋体とを備える家庭用薄葉紙収納容器であって、
前記取出部は、前記容器本体の内部と連通するスリット部と、前記スリット部を挟んで対向する一対の開口縁部と、前記一対の開口縁部の何れか一方に設けられた突起部と、を備え、
前記突起部を前記スリット部の反対側に傾倒させることによって、前記一対の開口縁部が離間することを特徴とする家庭用薄葉紙収納容器。
【請求項２】
前記蓋体を前記容器本体に対して閉蓋した際に、前記蓋体が前記突起部に当接することで前記一対の開口縁部を近接させることを特徴とする請求項１に記載の家庭用薄葉紙収納容器。
【請求項３】
前記蓋体を前記容器本体に対して閉蓋した際に、前記蓋体が前記突起部に当接することで前記一対の開口縁部を密着させることを特徴とする請求項１に記載の家庭用薄葉紙収納容器。
【請求項４】
前記一対の開口縁部の間には、その間の開口を塞ぐ薄肉部が予め設けられており、
前記一対の開口縁部を離間させる方向に前記突起部を傾倒することにより、前記薄肉部を破断して、前記スリット部が形成されることを特徴とする請求項１〜３の何れか一項に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、長さ方向に一定間隔をおいてミシン目が施されている家庭用薄葉紙を家庭用薄葉紙収納容器から取り出すための取出口として、ミシン目を切断分離せずに家庭用薄葉紙を容器から引き出すことができ、更に容器から引き出した家庭用薄葉紙のミシン目を切断分離せしめるのに必要な抵抗を与え得る引出穴が形成されているゴム製の山高帽子状部材が設けられている容器が知られている（例えば、特許文献１参照。）。
【特許文献１】実開平５−３４１７７号公報
【発明の開示】
【発明が解決しようとする課題】
【０００３】
しかしながら、上記特許文献１の場合、家庭用薄葉紙収納容器に、新たな家庭用薄葉紙を装填した際などに、その家庭用薄葉紙の１枚目に当たる端部を小さな引出穴に通し難いために、家庭用薄葉紙の詰め替え作業が煩わしいものとなることがあるという問題があった。
また、引出穴を大きくすると、家庭用薄葉紙の１枚目の端部を通しやすくなるので、家庭用薄葉紙の詰め替えをし易くなるが、容器から引き出した家庭用薄葉紙に付与される抵抗力が低下してしまうため、その引き出した家庭用薄葉紙をミシン目で切り離し難くなってしまい、家庭用薄葉紙を取り出しにくくなることがあるという問題があった。
【０００４】
本発明の目的は、家庭用薄葉紙の取り出しが容易な家庭用薄葉紙収納容器を提供することである。
【課題を解決するための手段】
【０００５】
以上の課題を解決するため、請求項１に記載の発明は、
内側に家庭用薄葉紙を収納するとともに、収納された前記家庭用薄葉紙を外側に取り出す取出部を具備する容器本体と、前記容器本体に前記取出部を開閉するように取り付けられた蓋体とを備える家庭用薄葉紙収納容器であって、
前記取出部は、前記容器本体の内部と連通するスリット部と、前記スリット部を挟んで対向する一対の開口縁部と、前記一対の開口縁部の何れか一方に設けられた突起部と、を備え、
前記突起部を前記スリット部の反対側に傾倒することによって、前記一対の開口縁部を離間させることを特徴とする。
【０００６】
請求項２に記載の発明は、請求項１に記載の家庭用薄葉紙収納容器において、
前記蓋体を前記容器本体に対して閉蓋した際に、前記蓋体が前記突起部に当接することで前記一対の開口縁部を近接させることを特徴とする。
【０００７】
請求項３に記載の発明は、請求項１に記載の家庭用薄葉紙収納容器において、
前記蓋体を前記容器本体に対して閉蓋した際に、前記蓋体が前記突起部に当接することで前記一対の開口縁部を密着させることを特徴とする。
【０００８】
請求項４に記載の発明は、請求項１〜３の何れか一項に記載の家庭用薄葉紙収納容器において、
前記一対の開口縁部の間には、その間の開口を塞ぐ薄肉部が予め設けられており、
前記一対の開口縁部を離間させる方向に前記突起部を傾倒することにより、前記薄肉部を破断して、前記スリット部が形成されることを特徴とする。
【発明の効果】
【０００９】
本発明によれば、家庭用薄葉紙収納容器は、容器の内部と連通するスリット部と、そのスリット部を挟む一対の開口縁部とを有する取出部を備えており、一方の開口縁部に設けられた突起部をスリット部の反対側に傾倒することによって、スリット部の開口（隙間）を広げることができるので、スリット部を通じて取出部の内側から外側に向かって家庭用薄葉紙を通しやすくなり、家庭用薄葉紙の詰め替え作業を容易に行うことができる。
そして、そのスリット部から家庭用薄葉紙を引き出すことによって、家庭用薄葉紙を家庭用薄葉紙収納容器から好適に取り出すことができる。
従って、この家庭用薄葉紙収納容器は、家庭用薄葉紙の取り出しが容易な収納容器として使用することができる。
【発明を実施するための最良の形態】
【００１０】
以下、図を参照して、本発明に係る家庭用薄葉紙収納容器の具体的な態様を詳細に説明する。ただし、発明の範囲は、図示例に限定されない。
【００１１】
図１は、本発明を適用した好適な実施形態として例示する家庭用薄葉紙収納容器１００を正面上方から見た斜視図であり、図２は、家庭用薄葉紙収納容器１００における取出部１１０を示す斜視図であり、図３は、図２におけるＡ−Ａ断面を含む容器本体１０１上部の横断面図であり、図４〜図６及び図７は、家庭用薄葉紙収納容器１００の取出部１１０から家庭用薄葉紙Ｐを取り出す際の取り出し動作を示す説明図である。
【００１２】
家庭用薄葉紙収納容器１００は、図１〜図７に示すように、例えば、内側にロール状の家庭用薄葉紙Ｐ（例えば、ロール状に巻かれたウェットシートやウェットティッシュ等のロールペーパー）を収納するとともに、収納された家庭用薄葉紙Ｐを外側に取り出す取出部１１０を具備する容器本体１０１と、この容器本体１０１に取出部１１０を開閉するように取り付けられた蓋体としての小蓋１２０とを備えて構成されている。
この家庭用薄葉紙収納容器１００に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
なお、以下の説明では、家庭用薄葉紙収納容器１００の前後方向をＸ軸方向として、小蓋１２０が容器本体１０１（蓋１０３）に支持されている側を後側とし、その反対側を手前側とする。さらに、正面視にて左右方向（幅方向）をＹ軸方向とし、上下方向をＺ軸方向とする。
【００１３】
容器本体１０１は、容器本体１０１の下部をなす有底円筒形状のボトル１０２と、容器本体１０１の上部をなす蓋１０３とから構成されている。
【００１４】
ボトル１０２の上端には開口部１０２ａが設けられており（図４〜６参照）、このボトル１０２の上端部の外周面には、周方向に沿って雄ネジ部１０２ｂが設けられている（図４〜６参照）。なお、図１、図４〜図７では、ボトル１０２の下部（底部）の図示を省略して記載している。
このボトル１０２は、例えば、ＰＥ（ポリエチレン）やＰＰ（ポリプロピレン）、或いはＰＥＴ、ＡＢＳ樹脂等から形成されている。
【００１５】
蓋１０３は、天面部１０３ａを有するとともに下端部が開放された円筒形状をなし、開放された下端部の内周面にはボトル１０２の雄ネジ部１０２ｂと螺合する雌ネジ部１０３ｂが設けられている。
この蓋１０３は、例えば、ＰＥ（ポリエチレン）やＰＰ（ポリプロピレン）等、可撓性を有する樹脂から形成されている。
【００１６】
そして、容器本体１０１は、ボトル１０２と蓋１０３とが雄ネジ部１０２ｂと雌ネジ部１０３ｂを介した脱着自在な連結構造をとり、ボトル１０２に対して蓋１０３を開閉自在としているので、ボトル１０２から蓋１０３を取り外した状態で、ボトル１０２の内部に家庭用薄葉紙Ｐを収納したり、内部から家庭用薄葉紙Ｐを取り出したりすることができるようになっている。なお、本実施形態では、家庭用薄葉紙Ｐが、上下方向（Ｚ軸方向）に沿った軸心にロール状に巻かれた状態で容器本体１０１に収納されるようになっている。
【００１７】
また、容器本体１０１の一部を成す蓋１０３の天面部１０３ａには、容器本体１０１の内部に収納された家庭用薄葉紙Ｐを容器本体１０１の外側に引き出すための開口である取出部１１０と、その天面部１０３ａに回動可能に取り付けられて取出部１１０を開閉する小蓋１２０とが設けられている。
なお、取出部１１０は、小蓋１２０より前後方向（Ｘ軸方向）手前側に設けられている。つまり、小蓋１２０は、蓋１０３の天面部１０３ａにおいて、取出部１１０の後方の取付部に回動可能に取り付けられており、その小蓋１２０は、取出部１１０に後方から覆い被さるようになっている。
【００１８】
取出部１１０は、例えば、図１〜図３に示すように、蓋１０３の天面部１０３ａのほぼ中央部に形成された凹部１０４内に設けられている。
この取出部１１０は、その周囲に円筒環形状に形成された、円筒環状部１０５を有している。
【００１９】
そして、取出部１１０は、容器本体１０１の内部と連通するように開口し、家庭用薄葉紙Ｐの取り出し方向と交差する方向に長尺なスリット部１１１と、スリット部１１１を挟んで対向する長辺部分において、容器本体１０１（蓋１０３）から外部に向けて立設された一対の開口縁部である一対の立設部１１２、１１４とを備えている。
特に、一対の立設部１１２、１１４は、取出部１１０の円筒環状部１０５内における後方半分側の領域に設けられており、一対の立設部１１２、１１４に挟まれたスリット部１１１も取出部１１０（円筒環状部１０５）における後方にずれた位置に設けられている。
【００２０】
スリット部１１１は、左右方向に対して長尺な略円弧形状を呈する開口であって、Ｘ軸方向の後方から前方に向かって凸となる向きに形成されている。
つまり、スリット部１１１は、取出部１１０の円筒環状部１０５内における中央から外側（具体的には、Ｘ軸方向後方）にずれた位置に設けられており、そのスリット部１１１は、取出部１１０（円筒環状部１０５）の中央側に向けて凸となるように略円弧形状を呈している。
また、換言すれば、スリット部１１１は、容器本体１０１の蓋１０３に設けられている小蓋１２０の取付部分から離間する方向に向けて凸となるように略円弧形状を呈している。
【００２１】
一対の立設部１１２、１１４は、円筒環状部１０５側に近い配置であって小蓋１２０の取付部分側に位置する第一立設部１１２と、円筒環状部１０５内の中央側に位置する第二立設部１１４とが対をなすように形成されている。
【００２２】
第一立設部１１２は、凹部１０４から斜め上方に立ち上がる傾斜面部１１２ａと、その傾斜面部１１２ａからスリット部１１１側へ延出する平面部１１２ｂとを有している。
そして、第一立設部１１２は、スリット部１１１側の端面（平面部１１２ｂの端面）が凸状の円弧形状をなしており、第一立設部１１２の平面部１１２ｂの端面側にスリット部１１１に沿って、容器本体１０１の内部に向けて延在する第一縁部１１３が形成されている。
また、第一立設部１１２の平面部１１２ｂの上面には、Ｚ軸方向に突出した突起部１１２ｃが設けられている。
【００２３】
第二立設部１１４は、凹部１０４から略真上に立ち上がる壁面部１１４ａと、その壁面部１１４ａからスリット部１１１側へ張り出す張出部１１４ｂとを有している。
そして、第二立設部１１４は、スリット部１１１側の端面（張出部１１４ｂの端面）が凹状の円弧形状をなしており、第二立設部１１４の張出部１１４ｂの端面側にスリット部１１１に沿って、容器本体１０１の内部に向けて延在する第二縁部１１５が形成されている。
【００２４】
このように、第一立設部１１２と第二立設部１１４は、スリット部１１１を挟んで対向するように立設され、更にその端面が容器内側に折り返されたような形状の縁部１１３、１１５を有する立体構造をとるので、円筒環状部１０５の内側における他の部分に比べて外力の作用により変形し難くなっている。
つまり、第一立設部１１２と第二立設部１１４は、スリット部１１１の周囲の変形を低減するように強度を高めることができるので、第一立設部１１２と第二立設部１１４を、スリット部１１１の周囲の強度を高める剛性部とすることができる。
【００２５】
また、一対の立設部１１２、１１４における、一方の第一立設部１１２は、他方の第二立設部１１４よりも高く形成されており、第一立設部１１２と第二立設部１１４の間には段差が生じている。
具体的には、小蓋１２０側に位置する第一立設部１１２の方が、円筒環状部１０５内の中央側に位置する第二立設部１１４よりも高く形成されており、円筒環状部１０５内における手前側の第二立設部１１４の方が、その後方の第一立設部１１２よりも低くなっている。
【００２６】
小蓋１２０は、例えば、蓋１０３の天面部１０３ａにＹ軸方向に沿って配された図示しない回動軸により軸支され、その天面部１０３ａに対して回動可能に配設されており、閉蓋状態（図４参照）と開蓋状態（図６参照）とに切り替えられるようになっている。
この小蓋１２０は、閉蓋状態（図４参照）と開蓋状態（図６参照）のそれぞれの配置において、それぞれ安定した状態に配されるように、例えば、可動範囲内における所定の回動角度（例えば、図３参照）よりも取出部１１０に接近された際には閉蓋状態となるように付勢され、また、上記所定の回動角度よりも取出部１１０から離間された際には開蓋状態となるように付勢されている。
【００２７】
なお、小蓋１２０は、天面部１０３ａに回動軸によって軸支されていることに限らず、例えば、蓋１０３と一体に成形されたものであってもよく、その蓋１０３の天面部１０３ａに対して、その天面部１０３ａの厚さをＹ軸方向に沿って一部薄くなる折り目を形成することにより、Ｙ軸方向に沿った折り目を軸線に折曲されるキャップとすることで、その折り目を軸心とするように回動可能にし、取出部１１０を開閉する構成としてもよい。
【００２８】
また、小蓋１２０の下面には、例えば、図４に示すように、取出部１１０を閉蓋状態とした際に円筒環状部１０５と嵌合する嵌合部１２１が設けられている。
この嵌合部１２１は、小蓋１２０の下面から円筒環状に突設されており、取出部１１０を小蓋１２０で閉蓋する際に、取出部１１０の円筒環状部１０５の外周が、その嵌合部１２１の内周と密接するように内挿されるようになっている。
【００２９】
ここで、家庭用薄葉紙収納容器１００の作用について説明する。
【００３０】
家庭用薄葉紙収納容器１００に家庭用薄葉紙Ｐを詰め替える場合、まず、家庭用薄葉紙Ｐを、ボトル１０２の開口部１０２ａからその内部に収納する。
そして、１枚目の家庭用薄葉紙Ｐとなるロールペーパーの一端部を、蓋１０３の内側から外側に向かうように取出部１１０のスリット部１１１に挿入して通す。
その際、図５に示すように、第一立設部１１２の突起部１１２ｃをスリット部１１１の反対側に傾倒することによって、第一立設部１１２と第二立設部１１４とを離間させて、スリット部１１１の開口（隙間）を広げるようにすれば、家庭用薄葉紙Ｐをより一層通しやすくなる。
なお、蓋１０３の取出部１１０における第一立設部１１２は、可撓性を有する樹脂（例えば、ＰＥやＰＰ等）からなるため、その形状は復元しやすいので、一時的に隙間が広げられたスリット部１１１の開口は元の形状、大きさに復元する。そして、図６に示すように、第一立設部１１２と第二立設部１１４との間に家庭用薄葉紙Ｐが挟まれて保持されるようになっている。
【００３１】
そして、取出部１１０のスリット部１１１に家庭用薄葉紙Ｐを挿通させた蓋１０３をボトル１０２に取り付けて、取出部１１０を小蓋１２０で閉じることで、家庭用薄葉紙Ｐの詰め替えが完了する。
この取出部１１０を小蓋１２０で閉蓋する際、図４に示すように、小蓋１２０の下面が第一立設部１１２の突起部１１２ｃに当接し、小蓋１２０が突起部１１２ｃを下方へ押圧するようになっており、第二立設部１１４に第一立設部１１２を近接させてスリット部１１１を狭めるので、一時的に広げられたスリット部１１１の開口を元の状態に復元させやすくなっている。
また、小蓋１２０が突起部１１２ｃを下方へ押圧することで、第二立設部１１４（第二縁部１１５）に第一立設部１１２（第一縁部１１３）を密着させるようになっているので、取出部１１０を小蓋１２０で閉じた際に、円筒環状部１０５の外周と嵌合部１２１の内周とが密接することとあわせて、容器内部を密閉することが可能になり、家庭用薄葉紙収納容器１００内に収納される家庭用薄葉紙Ｐであるウェットタイプのロールペーパーが乾燥してしまうことを防ぐことができる。
また、取出部１１０を小蓋１２０で閉蓋した場合、第一立設部１１２と第二立設部１１４とが密着するように、第一立設部１１２と第二立設部１１４との間に家庭用薄葉紙Ｐが強固に保持されるので、家庭用薄葉紙Ｐの端部が容器内部に引き戻されてしまうことはなく、家庭用薄葉紙Ｐの引き出し端部が取出部１１０に保持されやすくなっている。
【００３２】
次に、家庭用薄葉紙収納容器１００から家庭用薄葉紙Ｐを引き出して取り出す場合、まず、閉蓋された状態の家庭用薄葉紙収納容器１００の小蓋１２０を開け、図６に示すように、家庭用薄葉紙収納容器１００が開蓋された状態にする。
この開蓋された家庭用薄葉紙収納容器１００において、図６に示すように、家庭用薄葉紙Ｐの端部が、取出部１１０のスリット部１１１から上方に僅かに突出した状態で保持されている。特に、取出部１１０のスリット部１１１を挟む一対の立設部１１２、１１４における、手前側の第二立設部１１４の方が後側の第一立設部１１２よりも低くなっているために、スリット部１１１から突出した家庭用薄葉紙Ｐの端部は、低い第二立設部１１４側に向かって倒れやすく、図６に示すように、家庭用薄葉紙収納容器１００の前方である手前側に向かって傾いた状態で保持されている。
そして、そのスリット部１１１から突出している家庭用薄葉紙Ｐを、ユーザが摘んで容器本体１０１内から引き上げると、図７に示すように、家庭用薄葉紙Ｐが長尺のスリット部１１１にならって広げられた状態で家庭用薄葉紙収納容器１００から引き出される。
【００３３】
このスリット部１１１は、家庭用薄葉紙収納容器１００の前方に向かって凸となるように円弧形状を呈しており（図１参照）、その凸状の形状が家庭用薄葉紙Ｐの引き出し方向が容器の前後方向手前側であることを示唆しているようになっている。特に、スリット部１１１は、取出部１１０の円筒環状部１０５内における中央から後方にずれた位置に設けられており、そのスリット部１１１は、取出部１１０（円筒環状部１０５）の中央側に向けて凸となるように円弧形状を呈しているので、スリット部１１１から突出している家庭用薄葉紙Ｐを取出部１１０（円筒環状部１０５）の中央側に引くようにして、スリット部１１１から手前側に引き出すように、その家庭用薄葉紙Ｐの引き出し方向を一層示唆しているようになっている。なお、スリット部１１１（取出部１１０）の後方には小蓋１２０が配設されており、スリット部１１１は、その小蓋１２０から離間する方向に向けて凸となるように円弧形状を呈しているので、スリット部１１１から突出している家庭用薄葉紙Ｐを、スリット部１１１から後方ではなく手前側に引き出すように、その家庭用薄葉紙Ｐの引き出し方向をより一層示唆しているようになっている。
更に、このスリット部１１１から突出した家庭用薄葉紙Ｐは、家庭用薄葉紙収納容器１００の前方に向かって傾いた状態で保持されており（図６参照）、その家庭用薄葉紙Ｐの引き出し方向が容器の前方、手前側であることを示唆しているようになっている。
【００３４】
このように、ユーザは、家庭用薄葉紙Ｐを容器の前後方向手前側に引き出すように誘導されやすくなっている。
そして、取出部１１０における一対の立設部の手前側の第二立設部１１４の方が低くなる段差があるために、スリット部１１１には前後方向の隙間に加えて上下方向にも隙間があるので、家庭用薄葉紙Ｐは容器の手前側に引き出されやすくなっている
つまり、家庭用薄葉紙収納容器１００の取出部１１０は、ユーザが、家庭用薄葉紙Ｐを容器の手前側に引いて、その家庭用薄葉紙Ｐを容器本体１０１内から引き上げるように引き出しやすくなっている。
また、スリット部１１１は、家庭用薄葉紙Ｐの取り出し方向となる容器の前方の手前側に向かって凸となるように円弧形状を呈しているので、家庭用薄葉紙Ｐはスリット部１１１から好適に広がった状態で引き出されやすくなっている。
【００３５】
そして、ユーザが、家庭用薄葉紙Ｐをスリット部１１１から引き出すとき、家庭用薄葉紙Ｐは、第一立設部１１２と第二立設部１１４の間を擦れながらスリット部１１１から引き出されることとなる。特に、一対の第一立設部１１２と第二立設部１１４が、スリット部１１１の周囲の強度を高める剛性部として機能することによって、家庭用薄葉紙Ｐに摩擦力が作用する。なお、スリット部１１１に沿い容器本体１０１の内部に向けて延在する第一縁部１１３と第二縁部１１５は、家庭用薄葉紙Ｐが引き出される方向に逆らう向きに延在しているため、その家庭用薄葉紙Ｐに摩擦力がより一層作用することとなる。この摩擦力は、引き出される家庭用薄葉紙Ｐを下方側（容器内）に向けて引き戻そうとする力となって作用するので、スリット部１１１から引き出し中の家庭用薄葉紙Ｐと次の家庭用薄葉紙Ｐとの継ぎ目であるミシン目Ｐ１の部分まで引き出された際に、そのミシン目Ｐ１に沿って家庭用薄葉紙Ｐが切り離されることとなる。このミシン目Ｐ１で切り離されて家庭用薄葉紙収納容器１００から取り出された家庭用薄葉紙Ｐを、ユーザが使用可能とする。
そして、ミシン目Ｐ１で切り離された次の家庭用薄葉紙Ｐの上端部がスリット部１１１に保持される。ここでも、家庭用薄葉紙Ｐの端部は低い第二立設部１１４側に向かって倒れやすく、図６に示すように、家庭用薄葉紙収納容器１００の前方である手前側に向かって傾いた状態で保持されている。
【００３６】
以上のように、家庭用薄葉紙収納容器１００は、スリット部１１１と、そのスリット部１１１を挟む一対の立設部１１２、１１４を有する取出部１１０を備えており、第一立設部１１２の突起部１１２ｃをスリット部１１１の反対側に傾倒することによって、スリット部１１１の開口（隙間）を広げることができるので、スリット部１１１を通じて取出部１１０の内側から外側に向かって家庭用薄葉紙Ｐを通しやすく、家庭用薄葉紙Ｐの詰め替え作業を容易に行うことができる。
そして、一対の立設部１１２、１１４は、スリット部１１１の周囲の強度を高める剛性部として機能し、スリット部１１１を通じて引き出される家庭用薄葉紙Ｐに摩擦力を付与することができるので、スリット部１１１から引き出し中の家庭用薄葉紙Ｐと、次の家庭用薄葉紙Ｐとが、その摩擦力の作用で薄葉紙の継ぎ目のミシン目Ｐ１に沿って切り離されることによって、家庭用薄葉紙収納容器１００から必要以上の家庭用薄葉紙Ｐが引き出されてしまわないようになっており、所定の長さ（サイズ）の家庭用薄葉紙Ｐを容易に取り出すことが可能になっている。
従って、この家庭用薄葉紙収納容器１００は、内部に収納する家庭用薄葉紙Ｐの取り出しが容易な容器として使用することができる。
【００３７】
なお、本発明は上記実施形態に限られるものではない。
例えば、図８に示すように、取出部１１０における第一立設部１１２（第一縁部１１３）と第二立設部１１４（第二縁部１１５）の間に、当初はその間の開口（隙間）を塞ぐ薄肉部１１６が設けられていてもよい。
この薄肉部１１６が、第一立設部１１２と第二立設部１１４の間の開口（隙間）を塞ぐように予め設けられていることによって、未使用・未開封の家庭用薄葉紙収納容器１００内に収納されているウェットタイプの家庭用薄葉紙Ｐが乾燥してしまうことを防ぐことができる。
そして、第一立設部１１２（第一縁部１１３）と第二立設部１１４（第二縁部１１５）を離間させる方向に、第一立設部１１２の突起部１１２ｃを傾倒することにより（図５参照）、薄肉部１１６を破断して、第一立設部１１２と第二立設部１１４の間を開口させてスリット部１１１を形成することによって、前述のように、家庭用薄葉紙収納容器１００における家庭用薄葉紙Ｐの詰め替え作業を容易に行うことができるとともに、家庭用薄葉紙収納容器１００から家庭用薄葉紙Ｐを好適に引き出して使用することができるようになる。
【００３８】
なお、以上の実施の形態においては、略円弧形状を呈するスリット部を例に挙げて説明したが、本発明はこれに限定されるものではなく、直線形状を呈するスリット部や、その他の任意の隙間形状を呈するスリット部であってもよい。
【００３９】
また、以上の実施の形態においては、突起部を第一立設部１１２の上面に設けるとしたが、本発明はこれに限定されるものではなく、突起部を第二立設部１１４の上面に設けるようにしてもよい。
また、突起部を立設部の下面側などに設けて、その突起部をスリット部から離間する方向に傾倒することによって、スリット部の開口（隙間）を広げるようにして、家庭用薄葉紙をスリット部に挿通させるようにしてもよい。
【００４０】
また、その他、具体的な細部構造等についても適宜に変更可能であることは勿論である。
【図面の簡単な説明】
【００４１】
【図１】本発明を適用した実施形態として例示する家庭用薄葉紙収納容器を正面上方から見た斜視図である。
【図２】家庭用薄葉紙収納容器における取出部を示す斜視図である。
【図３】図２におけるＡ−Ａ断面を含む容器上部（蓋）の横断面図である。
【図４】取出部を小蓋で閉蓋した状態を示す説明図である。
【図５】取出部に家庭用薄葉紙を挿通させる状態を示す説明図である。
【図６】取出部における家庭用薄葉紙の挿通状態を示す説明図である。
【図７】取出部における家庭用薄葉紙の挿通状態を示す説明図である。
【図８】一対の立設部の間に設けられている薄肉部を示す説明図である。
【符号の説明】
【００４２】
１００  家庭用薄葉紙収納容器
１０１  容器本体
１０２  ボトル
１０３  蓋
１１０  取出部
１１１  スリット部
１１２  第一立設部（開口縁部）
１１２ｃ  突起部
１１４  第二立設部（開口縁部）
１１６  薄肉部
１２０  小蓋（蓋体）
Ｐ      家庭用薄葉紙
Ｐ１    ミシン目
【図１】
0005117237.tif 000002
【図２】
0005117237.tif 000003
【図３】
0005117237.tif 000004
【図４】
0005117237.tif 000005
【図５】
0005117237.tif 000006
【図６】
0005117237.tif 000007
【図７】
0005117237.tif 000008
【図８】
0005117237.tif 000009